(57)【要約】【課題】従来の竿棒や物干しロ−プは単独の使い方しかできないので、単独でも、竿棒に組み合わせても使える物干し具を提供する。【解決手段】中央に竿棒８を通せる竿穴２を設けた基板３の左右端部寄りに紐穴４を設けるとともに、その内側寄りに吊紐穴５を設けて成る基板３の両肩部分にロ−プ６を差し込める係止溝穴７を設けた前記竿穴２の側部に、固定材９となる蝶ネジボルト１０を取り付けた二枚の基板３を向かい合わせて、二本のロ−プ６を前記する基板３の二つの紐穴４に通した端部に係止コブ１１を作って連結して成る物干し具１とする。【選択図】図１
2006204927.tif 000002
【特許請求の範囲】
【請求項１】
単独でも、竿棒にも組み合わせて使える物干し具であって、中央に竿穴を設けたハンガ−状の基板の左右に紐穴と吊紐穴を設けた上端に係止溝穴を設け、かつ、前記竿穴の側部に竿棒の固定部材を取り付けた二枚の基板を向かい合わせて成る前記紐穴に、二本のロ−プを通して連結して成る構成を特徴とする複連ロ−プの物干し具。
【請求項２】
上記する竿棒の固定部材が、手で締め付けられる蝶ネジボルトで構成される請求項１に記載する複連ロ−プの物干し具。
【発明の詳細な説明】
【技術分野】
【０００１】  本発明は、二本の物干しロ−プを有する単独に使える物干し具であるとともに、竿棒にも組み合わせて使え、かつ、任意の幅に伸縮して使うこともできる物干し具に関する。
【背景技術】
【０００２】  従来より、洗濯物を干す器具として、衣類を掛ける物干しロ−プやハンガ−を吊したり大きな布団など掛けられる竿棒の他、各種の物干しハンガ−類が数多く提供されてユ−ザ−の用途や目的に応じて使い分けている。
また、複数のクリップを取り付けたロ−プを形成し、物干しの際の洗濯物を挟み留めることで、風で洗濯物が偏ったりしないように使える物干しロ−プの技術もある。（例えば、特許文献１参照）、さらに、狭いスペ−スでも伸縮して使える竿棒の技術もある。（例えば、特許文献２参照）
【特許文献１】特開２００１−２７６４９０公報（第１−２頁、図５）
【特許文献２】特開２００３−３２０１９９公報（第１−３頁、図１）
【発明の開示】
【発明が解決しようとする課題】
【０００３】  上記のような様々な物干し具があり、物干し竿やロ−プは古くからある代表的な物干し具である。しかし、物干し竿やロ−プはそれぞれ単一な使い方しかできず、また物干し棒は狭いスペ−ズでは使えないし、ロ−プは一本であるので洗濯物を多く掛けられないなどの不便がある。【０００４】  また、特開２００１−２７６４９０公報に開示される技術は、ロ−プに小さなクリップを等間隔に多数取り付けた物干しロ−プであり、洗濯物を掛けたハンガ−を多数竿に掛けて干した際に、各、洗濯物をクリップで挟み留めることで、強い風などで洗濯物が偏ったり飛ばされないようにして干せる保持ロ−プの技術である。しかし、ハンガ−を吊したうえに、さらに各洗濯物を一々挟み留めるのは面倒であり、また乾いた洗濯物を取り外す際も同じように手間を掛けて一々クリップを取り外さなければならないなど、使い勝手が悪く扱いにくいものであった。【０００５】  次に、特開２００３−３２０１９９公報による技術は、ロッドアンテナのように伸縮して折りたためる物干しであるが、その技術は、単に大きいパイプに小さいパイプを組み合わせて伸縮するだけであるので新規性ある技術とは言えず、また竿棒両端には専用の支持腕が組み合わされるものであるので、物干し棒だけ単独には使えない技術であった。
【課題を解決するための手段】
【０００６】  本発明は上記するような不便や欠点を解消するために、請求項１においては、中央に竿穴を設けたハンガ−状の基板の左右に紐穴と吊紐穴を設けた上端に係止溝穴を設け、かつ、前記竿穴の側部に竿棒の固定部材を取り付けた二枚の基板を形成し、その基板の紐穴に二本のロ−プを通して連結して成る複連ロ−プによる物干し具とすることで、竿穴に竿棒を組み合わせて使えるとともに、吊紐穴に別の吊紐を通せば、単独の物干しロ−プとしても使えるものとする。【０００７】  請求項２においては、上記する竿棒の固定部材に蝶ネジボルトを採用することで、基板を竿棒に固定したり緩めたりする際に、道具を使うことなく手で簡単に操作できる物干し具とする。
【発明の効果】
【０００８】  本発明における物干し具は、竿穴付きの二枚基板を二本のロ−プで連結した物干し具であるので、竿棒を竿穴に通して組み合わせると、竿棒を挟んだ両側に二本のロ−プを位置した状態でセットできるので、竿棒はもとより、両側のロ−プにも洗濯物やハンガ−を掛けて干せるうえ、残りの竿棒部分は本来の竿棒として使える機能的な物干し具を提供できる。【０００９】  加えて、ロ−プをピ〜ンと張っている基板の蝶ネジボルトは手で回せるので、組み合わせた竿棒の残りを広く使いたい時は、物干し具の一方の基板の蝶ネジボルトを緩めて任意の間隔にスライドさせたうえ固定し、余ったロ−プを基板に巻き付けて溝穴に差し挟むと任意の間隔でもロ−プを強く張って洗濯物を掛けられる。また両方の蝶ネジボルトを緩めると竿棒の好きな位置に物干し具を固定して使える。【００１０】  さらに、二枚の基板の吊紐穴に別の吊紐を掛け渡すように通し、その吊紐をベランダの桟や室内の柱、または木の枝などに結び付けると、竿棒に組み合わせることなく好きな場所で使えるなど、今までには見られない機能的な使い方ができる物干し具であるとともに、収納する時は二枚の基板を合わせてからロ−プを巻き付けると、カバンや箱に収まるほどコンパクトに折たためられるため、単身赴任や長期の旅行などに携行して、宿舎やホテルの室内などでも気軽に使える物干し具である。また、その構成は同じ形の二枚の基板と二本のロ−プで形成されるきわめてシンプルであるので、製造コストも安価にして、誰でもどこでも使える多様な使い方ができる機能的な物干し具である。
【発明を実施するための最良の形態】
【００１１】  物干し竿に組み合わせて使え、かつ、単独の物干しロ−プとしても使えるものとするために、二枚を一組とする基板の左右を二本の連結紐で連結した前記基板の中央に、竿棒を通せる竿穴を設けた複連ロ−プの物干し具とする。
【実施例】
【００１２】  本発明による実施例の物干し具を、図１に示す斜視図と図２の竿棒に組み合わせた一方の基板部を示す拡大斜視図と、図３のロ−プの間隔を調節する状態を示す斜視図及び図４の物干し具を単体で使用する状態の参考図で説明する。【００１３】  実施例に示す物干し具１は、中央上部に竿棒を通せる竿穴２を設けたハンガ−状の基板３の左右端部寄りに紐穴４，４を設けるとともに、その内側寄りに吊紐穴５，５を設けて成る前記ハンガ−状の基板３の両肩部分に、ロ−プ６をきつく差し込める係止溝穴７，７を設ける。次に前記竿穴２に通した竿棒８の固定部材９として、竿穴２の側部に手で締め付けられる蝶ネジボルト１０を取り付けた二枚の基板３，３を向かい合わせるようにして、寝具のシ−ツ幅をカバ−する長さの二本のロ−プ６，６を、前記する二つの基板３，３の紐穴４，４に通した端部に係止コブ１１を作って連結して成る複連ロ−プの物干し具１を構成する。【００１４】  実施例による物干し具１は、中央部に竿穴２を設けた二枚の基板３，３を、一定の長さの二本のロ−プ６，６で連結しているので、竿棒８に組み合わせて使用する時は、図２に示すように竿穴２に竿棒８を通して後に、蝶ネジボルト１０を手で締め付けると固定されて、二本のロ−プ６は一定の間隔をもってピ〜ンと張った状態で既存の竿棒８に組み合わせられる物干しロ−プとなるとともに、その中央に位置する竿棒８部分にも洗濯物やハンガ−を掛けられる。【００１５】  さらに二枚の基板３，３の間隔を狭くして使いたい時は、図３に示すように蝶ネジボルト１０を緩めて後、基板３をスライドして任意の間隔で蝶ネジボルト１０を締め付けると固定され、そのうえでロ−プ６，６の端部を引っ張って図３に示すように基板３に２回〜３ほど巻き付けた後に係止溝穴７，７に差し挟むと、ロ−プ６をピ〜ンと強く張った状態の物干しロ−プとして使える。【００１６】  加えて、物干し具１の二つの吊紐穴５，５に別の吊り紐１２を折り返すようにして通してから、吊紐１２を柱や柵、木の枝などに結び付けると、竿棒８に組み合わせる必要なく単独の物干し具１として使える。例えば、図４に示すように木の枝と塀のクギに吊紐１２を結び付けると、洗濯物１３を二本のロ−プ６に掛けて干せる物干し具１を形成する。さらに、使わない時は二枚の基板３，３を合わせてからロ−プ６を巻き付けるとカバンにも入る程度にコンパクトに収納できる。【００１７】  本発明による物干し具１は、二枚の基板３．３を二本のロ−プで連結しているが、さらに基板の幅を長くしてロ−プ６を増やしても差し支えない。また二枚の基板３の間にもう一枚基板を介在させてもよい。さらに、竿棒８にセットした基板を固定させる固定部材９として蝶ネジボルト１０を採用しているが、これ以外にドライバ−で締め付ける単なるネジやその他の固定手段を採用してもよい。また、ロ−プ６端部に作る係止コブ１１はロ−プ６を結んで作るが、これ以外に別の素材を取り付けて抜けないようにしてもよく、いずれも特に限定されるものではない。
【産業上の利用可能性】
【００１８】  本発明は、二本のロ−プで基板を連結した洗濯物干し具であるが、ロ−プを帯状のネットに代えると、穀物や海産物の天日干し器具として適用できる。
【図面の簡単な説明】
【００１９】
【図１】本発明による物干し具の実施例を示す斜視図である。
【図２】物干し具を竿棒に組み合わせた一方の基板部を示す拡大斜視図である。
【図３】物干し具のロ−プの間隔を調節する状態を示す斜視図である。
【図４】物干し具を単体で使用する時に参考例図である。
【符号の説明】
【００２０】  １  物干し具
２  竿穴
３  基板
４  紐穴
５  吊紐穴
６  ロ−プ
７  係止溝穴
８  竿棒
９  固定部材
１０  蝶ネジボルト
１１  係止コブ
１２  吊紐
１３  洗濯物
【図１】
2006204927.tif 000003
【図２】
2006204927.tif 000004
【図３】
2006204927.tif 000005
【図４】
2006204927.tif 000006